(57)【要約】【課題】中継伝送において、伝送効率を向上させる。【解決手段】データ信号を送信する送信装置１００と、データ信号を受信し、該データ信号を増幅し、増幅された信号を送信する中継装置２００と、送信装置１００および中継装置２００からの信号を受信する受信装置３００と、を備え、受信装置３００は、中継装置２００へ増幅率または増幅の有無を指示する制御信号を送信し、中継装置２００は、前記制御信号に基づいて増幅率の変更、もしくは増幅の開始または停止を行う。【選択図】図１
2011254380.tif 000002
【特許請求の範囲】
【請求項１】
データ信号を送信する送信装置と、
前記データ信号を受信し、該データ信号を増幅し、増幅された信号を送信する中継装置と、
前記送信装置および前記中継装置からの信号を受信する受信装置と、
を備え、
前記受信装置は、前記中継装置へ増幅率または増幅の有無を指示する制御信号を送信し、
前記中継装置は、前記制御信号に基づいて増幅率の変更、もしくは増幅の開始または停止を行うことを特徴とする通信システム。
【請求項２】
前記制御信号は、前記中継装置へ前記増幅率の設定または増幅の有無の設定を行う周波数帯域を指示する情報を含むことを特徴とする請求項１に記載の通信システム。
【請求項３】
前記制御信号は、前記受信装置に送信されたデータ信号に割り当てられた周波数帯域の増幅率を変更するよう指示する情報を含むことを特徴とする請求項２に記載の通信システム。
【請求項４】
前記中継局装置は、前記制御信号に基づいて、前記データ信号を通過させる周波数帯域を設定することを特徴とする請求項２に記載の通信システム。
【請求項５】
前記送信装置は基地局装置であり、
前記受信装置は移動局装置であることを特徴とする請求項１から請求項４のいずれか１項に記載の通信システム。
【請求項６】
前記通信システムは、複数の前記受信装置を備え、
前記中継装置は個別の前記受信装置毎に増幅率の制御を行うことを特徴とする請求項１から請求項４のいずれか１項に記載の通信システム。
【請求項７】
前記送信装置は移動局装置であり、
前記中継装置は基地局装置であることを特徴とする請求項１から請求項４のいずれか１項に記載の通信システム。
【請求項８】
前記受信装置は、所定の期間を超えた遅延波を受信したときは、前記中継局装置へ前記制御信号を送信することを特徴とする請求項１から請求項７のいずれか１項に記載の通信システム。
【請求項９】
前記制御信号は、前記増幅率を下げるよう指示する情報を含むことを特徴とする請求項８に記載の通信システム。
【請求項１０】
前記制御信号は、前記増幅の中止を指示する情報を含むことを特徴とする請求項８に記載の通信システム。
【請求項１１】
データ信号を受信する受信部と、
前記データ信号が、所定の期間を超えた遅延波による信号であるか否かを判断する品質判断部と、
前記品質判断部の判断に基づいて、前記データ信号の増幅率または増幅の有無を指示する制御信号を生成する制御信号生成部と、
を備えることを特徴とする受信装置。
【請求項１２】
データ信号と制御信号を受信する受信部と、
前記データ信号を増幅する増幅部と、
前記増幅部により増幅された信号を送信する送信部と、
前記制御信号から増幅率または増幅の有無を指示する情報を検出する制御信号検出部と、
を備え、
前記増幅部は、前記情報に基づいて増幅率の変更、もしくは増幅の開始または停止を行うことを特徴とする中継装置。
【請求項１３】
送信装置と、中継装置と、受信装置とを有する通信システムにおける通信方法において、
データ信号を送信する送信ステップと、
前記中継装置が、前記データ信号を受信し、該データ信号を増幅し、増幅された信号を送信する中継ステップと、
前記受信装置が、前記増幅された信号を受信する受信ステップと、
前記受信装置が、前記中継装置へ増幅率または増幅の有無を指示する制御信号を送信する送信ステップと、
前記中継装置が、前記制御信号に基づいて増幅率の変更、もしくは増幅の開始または停止を行う増幅変更ステップと、
を有することを特徴とする通信方法。
【請求項１４】
受信装置が受信されたデータ信号を所定の期間を超えた遅延波による信号であるか否かを判断する品質判断ステップと、
前記受信装置が前記品質判断ステップにおける判断に基づいて、前記データ信号の増幅率または増幅の有無を指示する制御信号を生成する制御信号生成ステップと、
を有することを特徴とする受信方法。
【請求項１５】
中継装置が受信されたデータ信号を増幅する増幅ステップと、
前記中継装置が前記増幅ステップにより増幅された信号を送信する送信ステップと、
前記中継装置が受信された制御信号から増幅率または増幅の有無を指示する情報を検出する制御信号検出ステップと、
前記中継装置が前記情報に基づいて増幅率の変更、もしくは増幅の開始または停止を行う増幅変更ステップと、
を有することを特徴とする中継方法。
【発明の詳細な説明】
【技術分野】
【０００１】
本発明は、通信システム、受信装置、中継装置、通信方法、受信方法および中継方法に関する。
【背景技術】
【０００２】
基地局装置は、多数のユーザ端末である移動局装置間の通信を可能とするために、所定の距離間隔をおいて、全国に配置された通信装置である。携帯電話などの移動通信システムでは、例えば、都市部において基地局装置を配した場合、ビル陰などの不感地域あるいは弱電界地域の発生により、一基地局装置が移動局装置と接続できる通信範囲（エリア）の縮小あるいは前記エリアにおいて基地局装置と接続する移動局装置が受信する信号の信号対雑音比（ＳＮＲ：Ｓｉｇｎａｌ  ｔｏ  Ｎｏｉｓｅ  Ｒａｔｉｏ）の低下が生じる。また、伝送レートの高速化が要求されるにつれ、システム帯域が高周波数帯へと移行するので、一基地局装置がカバーできるエリアが縮小する。
【０００３】
これらの不感地域あるいは弱電界地域の解消を低い導入、運用コストで実現する手段として、レピータ伝送とかＡＦ（Ａｍｐｌｉｆｙ−ａｎｄ−Ｆｏｒｗａｒｄ）リレー伝送とかと称される伝送方法がある。この伝送方法を以下では、「中継伝送」という。中継伝送は、レピータあるいはＡＦリレー局（以下、両者をまとめて中継局装置（中継装置）という）を基地局装置および不感地域あるいは弱電界地域の両方から比較的見通しのよいところに配置することにより実現する。
【０００４】
中継局装置（中継装置）は、受信した無線信号を復調等のデジタル信号処理は行わず、そのまま増幅した後に出力する。例えば、下りリンクの場合、基地局装置（送信装置）から受信した無線信号を増幅した後、その信号を不感地域あるいは弱電界地域にある移動局装置（受信装置）に対して送信する。上述の中継伝送において、移動局装置が受信する無線信号は、基地局装置から直接到来する信号と、中継局装置（中継装置）を経由して到来する信号とからなる（非特許文献１参照）。
【０００５】
図２４は、従来の通信システムにおいて基地局装置から移動局装置への無線回線である下りリンクにおける中継伝送を示した図である。移動局装置１００２は、基地局装置１０００が送信した信号を、基地局装置１０００から移動局装置１００２への、中継局装置１００１を介することのない経路ｒｒ１、基地局装置１０００から中継局装置１００１への経路ｒｒ２および中継局装置１００１から移動局装置１００２への経路ｒｒ３、またはその両方の経路を通して受信する。移動局装置１００２が経路ｒｒ３からのみ受信できる環境を閉空間とよび、経路ｒｒ１と経路ｒｒ３の両方から受信できる環境を開空間とよぶ。
【０００６】
移動局装置１００２が経路ｒｒ３を通して受信する信号は、中継局装置１００１が経路ｒｒ２により基地局装置１０００から受信した信号を増幅、フィルタリング（帯域制限）した後、出力した信号である。そして、経路ｒｒ３を通して到来する信号は、中継装置における増幅、フィルタリングに起因した処理遅延により、経路ｒｒ１を通して到来した信号より到来時間が遅れる。
【０００７】
ここで、基地局装置１０００が、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：直交波周波数分割多重）変調された信号（以下、ＯＦＤＭ信号という）を送信する場合を考える。ＯＦＤＭ信号は、マルチキャリア化とガードインターバル（ＧＩ：Ｇｕａｒｄ  Ｉｎｔｅｒｖａｌ）の挿入によって、高速デジタル信号伝送におけるマルチパスフェージングの影響を軽減することができる。
【０００８】
非特許文献１では、半径十メートル程度の小さな範囲で通信エリアを形成する小型基地局（セル）にレピータ（中継装置）を配置した場合、移動局が、基地局から直接到来する信号とレピータを経由した信号の両方を受信し、後者の信号は、前者の信号からレピータの処理遅延時間だけ遅れて到来することが開示されている。
【０００９】
非特許文献２では、セルにレピータ（中継装置）を配置した場合、レピータを経由した信号は基地局から直接到来する信号からレピータの処理遅延時間だけ遅れて移動局へ到来し、前記処理遅延時間がＧＩ長を超える場合、ＩＳＩ、ＩＣＩが発生し、特性劣化の要因となることが開示されている。
【００１０】
それに対し、非特許文献３では、前記非特許文献２で開示された特性劣化への対策として、システムにおいて、長短の２種類のＣＰ（Ｃｙｃｌｉｃ  ｐｒｅｆｉｘ：サイクリック・プレフィックス、ＧＩの別名）を規定し、長いＣＰを使用することで回避できることが開示されている。
【先行技術文献】
【非特許文献】
【００１１】
【非特許文献１】“３ｒｄ  Ｇｅｎｅｒａｔｉｏｎ  Ｐａｒｔｎｅｒｓｈｉｐ  Ｐｒｏｊｅｃｔ；  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｕｎｉｖｅｒｓａｌ  Ｔｅｒｒｅｓｔｒｉａｌ  Ｒａｄｉｏ  Ａｃｃｅｓｓ（ＵＴＲＡ）ｒｅｐｅａｔｅｒ  ｐｌａｎｎｉｎｇ  ｇｕｉｄｅｌｉｎｅｓ  ａｎｄ  ｓｙｓｔｅｍ  ａｎａｌｙｓｉｓ（Ｒｅｌｅａｓｅ  ７）”３ＧＰＰ  ＴＲ２５．９５６  ｖ７．０．０（２００７−０６）
【非特許文献２】Ｒ４−０７１９１７，３ＧＰＰ  ＴＳＧ−ＲＡＮ  ＷＧ４（Ｒａｄｉｏ）  Ｍｅｅｔｉｎｇ  ＃４５  Ｊｅｊｕ，Ｋｏｒｅａ，５−９  Ｎｏｖｅｍｂｅｒ，２００７    URL: http://www.3gpp.org/ftp/tsg_ran/WG4_Radio/TSGR4_45/Docs/
【非特許文献３】Ｒｅｐｏｒｔ  ｏｆ  ｔｈｅ  ３ＧＰＰ  ＴＳＧ  ＲＡＮ  ＷＧ４  ｍｅｅｔｉｎｇ  ｎｕｍｂｅｒ  ４５  Ｊｅｊｕ，Ｋｏｒｅａ，  ５−９  Ｎｏｖｅｍｂｅｒ  ２００７    URL: http://www.3gpp.org/ftp/tsg_ran/WG4_Radio/TSGR4_45/Report/
【発明の概要】
【発明が解決しようとする課題】
【００１２】
しかしながら、ガードインターバル区間を越える遅延波が存在すると、前のシンボルが高速フーリエ変換（ＦＦＴ：Ｆａｓｔ  Ｆｏｕｒｉｅｒ  Ｔｒａｎｓｆｏｒｍ）区間に入り込むことにより生じるシンボル間干渉（ＩＳＩ：Ｉｎｔｅｒ  Ｓｙｍｂｏｌ  Ｉｎｔｅｒｆｅｒｅｎｃｅ）や、高速フーリエ変換区間にシンボルの切れ目、つまり信号の不連続区間が入ることによって生じるキャリア間干渉（ＩＣＩ：Ｉｎｔｅｒ  Ｃａｒｒｉｅｒ  Ｉｎｔｅｒｆｅｒｅｎｃｅ）が生じ、伝送特性劣化の原因となる。
【００１３】
図２４の中継伝送においては、中継局装置１００１の処理時間がＧＩ長より長い場合、移動局装置１００２が中継局装置１００１から経路ｒｒ３を通って受信する信号は、基地局装置１０００から経路ｒｒ１を通って受信する信号よりＧＩ長以上遅れて到来する（非特許文献２参照）。このため、ＩＳＩ、ＩＣＩが発生し、伝送特性劣化が生じる。
【００１４】
これらのＩＳＩ、ＩＣＩによる特性劣化を改善する方法として、中継局装置の処理時間よりも長いＧＩ（Ｌｏｎｇ  ＧＩ）を付加したＯＦＤＭ信号を送信する方法が記載されている（非特許文献２および非特許文献３参照）。この方法により、前記到来時間差がＧＩ長以内に収まるようにすることで、干渉を抑圧できる。しかしながら、非特許文献２および非特許文献３では中継伝送を行う場合、通常より長いＧＩを用いるため、ＧＩの挿入損失が増大し、伝送効率が低下してしまうといった問題点を有していた。
【００１５】
本発明は、上記問題に鑑みてなされたものであり、中継伝送において、伝送効率を向上させる通信システム、受信装置、中継装置、通信方法、受信方法および中継方法を提供することを課題とする。
【課題を解決するための手段】
【００１６】
（１）本発明の通信システムは前記事情に鑑みなされたもので、データ信号を送信する送信装置と、前記データ信号を受信し、該データ信号を増幅し、増幅された信号を送信する中継装置と、前記増幅された信号を受信する受信装置と、を備え、前記受信装置は、前記中継装置へ増幅率または増幅の有無を指示する制御信号を送信し、前記中継装置は、前記制御信号に基づいて増幅率の変更、もしくは増幅の開始または停止を行うことを特徴とする。
【００１７】
（２）（１）に記載の通信システムにおいて、前記制御信号は、前記中継装置へ前記増幅率の設定または増幅の有無の設定を行う周波数帯域を指示する情報を含むことを特徴とする。
【００１８】
（３）（２）に記載の通信システムにおいて、前記制御信号は、前記受信装置に送信されたデータ信号に割り当てられた周波数帯域の増幅率を変更するよう指示する情報を含むことを特徴とする。
【００１９】
（４）（２）に記載の通信システムにおいて、前記中継局装置は、前記制御信号に基づいて、前記データ信号を通過させる周波数帯域を設定することを特徴とする。
【００２０】
（５）（１）から（４）のいずれか１つに記載の通信システムにおいて、前記送信装置は基地局装置であり、前記受信装置は移動局装置であることを特徴とする。
【００２１】
（６）（１）から（４）のいずれか１つに記載の通信システムにおいて、前記通信システムは、複数の前記受信装置を備え、前記中継装置は個別の前記受信装置毎に増幅率の制御を行うことを特徴とする。
【００２２】
（７）（１）から（４）のいずれか１つに記載の通信システムにおいて、前記送信装置は移動局装置であり、前記中継装置は複数の基地局装置であることを特徴とする。
【００２３】
（８）（１）から（７）のいずれか１つに記載の通信システムにおいて、前記受信装置は、所定の期間を超えた遅延波を受信したときは、前記中継局装置へ前記制御信号を送信することを特徴とする。
【００２４】
（９）（８）に記載の通信システムにおいて、前記制御信号は、前記増幅率を下げるよう指示する情報を含むことを特徴とする。
【００２５】
（１０）（８）に記載の通信システムにおいて、前記制御信号は、前記増幅の中止を指示する情報を含むことを特徴とする。
【００２６】
（１１）本発明の受信装置は前記事情に鑑みなされたもので、データ信号を受信する受信部と、前記データ信号が、所定の期間を超えた遅延波による信号であるか否かを判断する品質判断部と、前記品質判断部の判断に基づいて、前記データ信号の増幅率または増幅の有無を指示する制御信号を生成する制御信号生成部と、を備えることを特徴とする。
【００２７】
（１２）本発明の中継装置は前記事情に鑑みなされたもので、データ信号と制御信号を受信する受信部と、前記データ信号を増幅する増幅部と、前記増幅部により増幅された信号を送信する送信部と、前記制御信号から増幅率または増幅の有無を指示する情報を検出する制御信号検出部と、を備え、前記増幅部は、前記情報に基づいて増幅率の変更、もしくは増幅の開始または停止を行うことを特徴とする。
【００２８】
（１３）本発明の通信方法は前記事情に鑑みなされたもので、送信装置と、中継装置と、受信装置とを有する通信システムにおける通信方法において、データ信号を送信する送信ステップと、前記中継装置が、前記データ信号を受信し、該データ信号を増幅し、増幅された信号を送信する中継ステップと、前記受信装置が、前記増幅された信号を受信する受信ステップと、前記受信装置が、前記中継装置へ増幅率または増幅の有無を指示する制御信号を送信する送信ステップと、前記中継装置が、前記制御信号に基づいて増幅率の変更、もしくは増幅の開始または停止を行う増幅変更ステップと、を有することを特徴とする。
【００２９】
（１４）本発明の受信方法は前記事情に鑑みなされたもので、受信装置が受信されたデータ信号を所定の期間を超えた遅延波による信号であるか否かを判断する品質判断ステップと、前記受信装置が前記品質判断ステップにおける判断に基づいて、前記データ信号の増幅率または増幅の有無を指示する制御信号を生成する制御信号生成ステップと、を有することを特徴とする。
【００３０】
（１５）本発明の中継方法は前記事情に鑑みなされたもので、中継装置が受信されたデータ信号を増幅する増幅ステップと、前記中継装置が前記増幅ステップにより増幅された信号を送信する送信ステップと、前記中継装置が受信された制御信号から増幅率または増幅の有無を指示する情報を検出する制御信号検出ステップと、前記中継装置が前記情報に基づいて増幅率の変更、もしくは増幅の開始または停止を行う増幅変更ステップと、を有することを特徴とする。
【発明の効果】
【００３１】
本発明によれば、中継伝送において、伝送効率を向上させることができる。
【図面の簡単な説明】
【００３２】
【図１】本発明の第１の実施形態に係る通信システムの概略を示す図である。
【図２】基地局装置、中継局装置、および移動局装置の信号の交信を示すシーケンス図である。
【図３】移動局装置の動作を示すフローチャートである。
【図４】基地局と移動局との間の伝搬路のインパルス応答を示す一例である。
【図５】基地局と移動局との間の伝搬路のインパルス応答を示す別の一例である。
【図６】図５のインパルス応答を示す情報データの無線信号に対して、再送された情報データの無線信号のインパルス応答である。
【図７】中継局装置の動作を示すフローチャートである。
【図８】本発明の第１の実施形態に係る基地局装置の一構成例を示す機能ブロック図である。
【図９】ＯＦＤＭ伝送を行っている場合におけるデータ変調シンボル、制御シンボル、パイロットシンボルのマッピング例を示した図である。
【図１０】本発明の第１の実施形態に係る中継装置の一構成例を示す機能ブロック図である。
【図１１】発明の第１の実施形態に係る移動局装置の一構成例を示す機能ブロック図である。
【図１２】閾値にＧＩ長を超える長遅延波が存在するか否かの判断方法を説明するための図である。
【図１３】本発明の第２の実施形態に係る通信システムについて示す図である。
【図１４】基地局装置が送信する情報データの無線信号を示した図である。
【図１５】第２の実施形態における基地局装置、中継局装置、および移動局装置間の信号の交信を示すシーケンス図である。
【図１６】中継局装置の動作を示すフローチャートである。
【図１７】中継局装置が移動局装置から中継装置用制御信号を受けた後、中継局装置が再送する情報データの無線信号を示した図である。
【図１８】本発明の第２の実施形態に係る基地局装置の一構成例を示す機能ブロック図である。
【図１９】本発明の第２の実施形態に係る中継局装置の一構成例を示す機能ブロック図である。
【図２０】本発明の第２の実施形態に係る移動局装置の一構成例を示す機能ブロック図である。
【図２１】ＯＦＤＭＡ伝送する下りリンクにおいて、基地局装置が移動局装置あるいは中継局装置にデータを送信する際のユーザ割当を示す図である。
【図２２】本発明の第３の実施形態に係る通信システムを示した図である。
【図２３】第３の実施形態における基地局装置、中継局装置、移動局装置間の信号の交信を示すシーケンス図である。
【図２４】従来の通信システムにおいて下りリンクにおける中継伝送を示した図である。
【発明を実施するための形態】
【００３３】
以下、本発明の実施形態について、図面を参照して詳細に説明する。
＜第１の実施形態＞
［通信システム］
図１は、本発明の第１の実施形態に係る通信システムの概略を示す図である。図１における通信システムは、基地局装置１００（送信装置）、中継局装置２００（中継装置）、移動局装置３００（受信装置）を備えている。
【００３４】
図１において、ｒ１は基地局装置１００が送信した無線信号が移動局装置３００に直接到達する経路、ｒ２は基地局装置１００が送信した無線信号が中継局装置２００へ到達する経路、ｒ３は基地局装置１００が送信した無線信号が中継局装置２００を介して移動局装置３００へ到達した場合における中継局装置２００と移動局装置３００間の経路である。また、ｒ４は移動局装置３００が送信した中継局装置２００を制御するための制御信号（中継装置用制御信号）が中継局装置２００へ到達する経路である。
【００３５】
なお、基地局装置のことを送信装置という場合があるが、これに限らず、移動局装置のことを送信装置という場合を含む。また、移動局装置のことを受信装置という場合があるが、これに限らず、装置のことを受信装置という場合を含む。
【００３６】
基地局装置１００は、移動局装置３００に対して無線信号（ＲＦ信号）により、情報データおよび制御データを送信する。中継局装置２００は、基地局装置１００から受信した前記無線信号を増幅、フィルタリングした後、出力する。
移動局装置３００は、経路ｒ１、経路ｒ３またはその両方から基地局装置１００が送信した情報データおよび制御データの無線信号を受信する。そして、その受信状況に応じて、移動局装置３００は、経路ｒ４を介して中継装置用制御信号を中継局装置２００へ送信することにより中継局装置２００を制御する。
【００３７】
なお、基地局装置１００と中継局装置２００との間の経路ｒ２として無線回線を用いているが、光ファイバーなどの有線回線（例えば、光張り出し無線装置（ＲＲＥ：Remote Radio Equipment））を用いることとしてもよい。
【００３８】
図２は、基地局装置１００、中継局装置２００、および移動局装置３００の信号の交信を示すシーケンス図である。図２では、移動局装置３００は、基地局装置１００との制御データ（例えば、ランダムアクセスチャネル、ページングなど）により、移動局装置３００と基地局装置１００間でリンク接続が完了しているとして説明する。
【００３９】
基地局装置１００は、移動局装置３００に対して情報データの無線信号を送信し、移動局装置３００は基地局装置１００から直接（経路ｒ１）および中継局装置２００経由（経路ｒ２並びにｒ３）の両方から前記情報データの無線信号を受信する（ステップＴ１０１）。移動局装置３００は、前記情報データの無線信号に対して信号が正しく受信できたか否か判定する（ステップＴ１０２）。そして、移動局装置３００は、情報データの無線信号を正しく受信できたか否かというＡＣＫ／ＮＡＣＫ（Ａｃｋｎｏｗｌｅｄｇｍｅｎｔ／Ｎｅｇａｔｉｖｅ  Ａｃｋｎｏｗｌｅｄｇｍｅｎｔ）信号を基地局装置１００に通知する（ステップＴ１０３）。
【００４０】
また、移動局装置３００は、上記情報データの無線信号を正しく受信できなかった場合、上記情報データの無線信号から前記受信したデータ信号に挿入されている伝搬路推定用パイロット信号を抽出し、その伝搬路推定用パイロット信号に基づいて受信品質を算出する（Ｔ１０２）。
そして、移動局装置３００は、その受信品質に基づいて中継局装置２００に増幅率を制御する制御信号（中継装置用制御信号）を送信する（経路ｒ４、ステップＴ１０４）。ここで、中継装置用制御信号は、増幅率を示す信号、もしくは増幅の開始または停止を指示する信号である。中継装置用制御信号は、増幅を中止する旨（増幅率ゼロ）を通知する信号であってもよい。
【００４１】
中継局装置２００は、移動局装置３００から受信した中継装置用制御信号に基づいて増幅率を変更する（ステップＴ１０５）。そして、基地局装置１００が中継局装置２００に、再度情報データの無線信号を送信すると、移動局装置３００は、基地局装置１００から直接およびステップＴ１０１とは異なる信号増幅が施された中継局装置２００経由の信号を受信する（Ｔ１０６）。
【００４２】
前記中継装置用制御信号が、中継局装置２００の増幅を中止する旨を通知する信号である場合、移動局装置３００は、基地局装置１００から直接の信号を受信する。その場合、この中継装置用制御信号は、一定期間増幅率を下げる旨を通知する信号または一定期間増幅を中止する旨を通知する信号である。
【００４３】
［移動局装置の動作］
図３は、移動局装置３００の動作を示すフローチャートである。なお、図３では、図２と同様に、移動局装置３００と基地局装置１００間でリンク接続が完了しているとして説明する。
【００４４】
移動局装置３００は、基地局装置１００から情報データの無線信号を受信すると（ステップＳ１０１）、復調処理、復号処理などの信号検出処理を行い、情報データを取得する（ステップＳ１０２）。そして、前記信号検出処理結果に対して誤り検出処理を行い、前記情報データの無線信号にデータ誤りがあるか否かを判定する（ステップＳ１０３）。
【００４５】
情報データの無線信号にデータ誤りがない場合（ステップＳ１０３  ＮＯ）、移動局装置３００は、正しく受信できた旨を通知する信号（ＡＣＫ信号）を生成し、基地局装置１００に向けて送信する（ステップＳ１０４）。
一方、情報データの無線信号にデータ誤りがある場合（ステップＳ１０３  ＹＥＳ）、移動局装置３００は、正しく受信できなかった旨を通知する信号（ＮＡＣＫ信号）を生成し、そのＮＡＣＫ信号を基地局装置１００に向けて送信する（ステップＳ１０５）。これによって、移動局装置３００は、情報データの無線信号の再送を要求する。
【００４６】
さらに、移動局装置３００は、基地局１００からの無線信号に含まれる伝搬路推定用パイロット信号などから算出したインパルス応答により、ＧＩを超える遅延波が到来しているか否かを判定する（ステップＳ１０６）。ＧＩを超える遅延波の到来がある場合（ステップＳ１０６  ＹＥＳ）、移動局装置３００は、増幅を中止する旨を通知する中継装置用制御信号を生成し、その中継装置用制御信号を中継局装置２００に送信する（ステップＳ１０７）。そして、移動局装置３００は、再送される情報データの無線信号の到来を待つ。
【００４７】
中継局装置２００が、増幅を中止することにより、図１において、移動局装置３００に経路ｒ３を通って到来する信号の電力を検出限界より小さくすることができる。すなわち、移動局装置３００は、経路ｒ１を通って到来する信号のみを検出する。これにより、移動局装置３００が経路ｒ１を通って到来する信号と経路ｒ３を通って到来する信号の両方を受信しても、移動局装置３００は、経路ｒ３を通って到来する信号が、経路ｒ１を通って到来する信号より到来が遅れることに起因するＧＩ長を超えた超遅延波の発生を回避することができる。
【００４８】
一方、ＧＩを超える遅延波の到来がない場合（ステップＳ１０６  ＮＯ）、移動局装置３００は、再送される情報データの無線信号の到来を待つ。以上で、本フローチャートの処理は終了する。
【００４９】
図４は、基地局１００と移動局３００との間の伝搬路のインパルス応答を示す一例である。横軸は時間ｔで、縦軸は電力レベルである。ｗ１−１は移動局装置３００が基地局装置１００から直接到達する経路ｒ１のインパルス応答であり、ｗ２−１は中継局装置２００経由で到達する経路ｒ２および経路ｒ３のインパルス応答である。
【００５０】
ここで、インパルス応答ｗ１−１の受信電力が所定の検出閾値より小さいとすると、移動局装置３００はインパルス応答ｗ１−１を検出しない。移動局装置３００は、インパルス応答ｗ２−１にＦＦＴ同期して信号検出処理を行う。従って、移動局装置３００はＧＩ長を超える遅延波を受信しない。また、インパルス応答ｗ１−１による干渉も少ないので、インパルス応答ｗ２−１の特性劣化を抑えることができる。この場合、ステップＳ１０６において、移動局装置３００はＧＩ長を超える遅延波の到来がないと判定する。
【００５１】
図５は、基地局１００と移動局３００との間の伝搬路のインパルス応答を示す別の一例である。横軸は時間ｔで、縦軸は電力レベルである。ｗ１−２は移動局装置３００が基地局装置１００から直接到達する経路ｒ１のインパルス応答の無線信号であり、ｗ２−２は中継局装置２００経由で到達する経路ｒ２および経路ｒ３のインパルス応答である。
【００５２】
この場合、インパルス応答ｗ１−２の受信電力がＦＦＴ同期を確立できるほど大きいため、移動局装置３００はインパルス応答ｗ１−２にＦＦＴ同期して信号検出処理を行う。その結果、インパルス応答ｗ２−２がＧＩ長を超える遅延波となってしまう。よって、図３のステップＳ１０６において、移動局装置３００はＧＩを超える遅延波の到来があると判定し、中継局装置２００に増幅を中止する旨を通知する。
【００５３】
図６は、図５のインパルス応答を示す情報データの無線信号に対して、情報データが再送されたときの伝搬路のインパルス応答である。横軸は時間ｔで、縦軸は電力レベルである。ｗ１−２は移動局装置３００が基地局装置１００から直接到達する経路ｒ１のインパルス応答であり、ｗ’２−２は中継局装置２００経由で到達する経路ｒ２および経路ｒ３のインパルス応答である。移動局装置３００が中継局装置２００に増幅中止する旨を通知した結果、中継局装置２００が増幅を中止したため、インパルス応答ｗ’２−２の電力レベルが低下している。従って、ＧＩ長を超える遅延波の電力レベルが下がるため、信号検出時に発生するＩＳＩ、ＩＣＩが抑圧され、特性改善することができる。
【００５４】
なお、図５および図６において、ＧＩ長を超える遅延波の有無で中継局装置の増幅率の設定を制御しているが、ＧＩ長を超える遅延波の電力レベルで判断してもよい。その場合、例えば、ある電力レベルの閾値を設定し、その閾値よりＧＩ長を超える遅延波の電力レベルが大きい場合は、増幅を中止することとする。
【００５５】
［中継局装置の動作］
図７は、中継局装置２００の動作を示すフローチャートである。中継局装置２００は、基地局装置１００から送信された信号（情報データの無線信号）を受信すると（ステップＳ２０１  ＹＥＳ）、増幅したい周波数帯域を抽出し、現在設定している増幅率に基づいてこの信号を増幅する（ステップＳ２０２）。そして、中継局装置２００は、増幅した周波数帯域周辺に発生する不要輻射（スプリアス）となる成分をフィルタリングにより除去し（ステップＳ２０２）、スプリアスを除去した信号を移動局装置３００へ送信する（ステップＳ２０３）。
【００５６】
また、中継局装置２００は、基地局装置１００から送信された信号を受信していない場合（ステップＳ２０１  ＮＯ）、中継局装置２００は、移動局装置３００から送信された中継装置用制御信号を受信したか否か判定する（ステップＳ２０４）。移動局装置３００から送信された中継装置用制御信号を受信していない場合（ステップＳ２０４  ＮＯ）、中継局装置２００はステップＳ２０１の処理に戻る。
【００５７】
一方、移動局装置３００から送信された中継装置用制御信号を受信すると（ステップＳ２０４  ＹＥＳ）、その中継装置用制御信号に施されている誤り訂正符号化および変調に対して、復調処理および復号処理を行う。例えば、移動局装置３００が、畳み込み符号化およびＱＰＳＫ（Ｑｕａｄｒａｔｕｒｅ  Ｐｈａｓｅ  Ｓｈｉｆｔ  Ｋｅｙｉｎｇ：４相位相偏移変調）変調した制御信号を中継局装置２００に伝送した場合、中継局装置２００は、ＱＰＳＫ変調に対する復調処理および畳み込み符号化に対する復号処理を行う。
【００５８】
そして、中継局装置２００は、復調処理および復号処理された信号から、増幅率制御に関する制御データを抽出する（ステップＳ２０５）。そして、中継局装置２００は、その制御データが含む指示に従い、中継局装置２００の増幅部の増幅率の設定を変更し（ステップＳ２０６）、基地局装置１００から次の信号が到来するのを待つ。以上で、本フローチャートの処理は終了する。
【００５９】
［基地局装置の構成］
図８は、本発明の第１の実施形態に係る基地局装置１００の一構成例を示す機能ブロック図である。なお、図８では、基地局装置が送信する無線信号が、ＯＦＤＭ信号である場合で説明するが、ＳＣ−ＦＤＭＡ（Ｓｉｎｇｌｅ  Ｃａｒｒｉｅｒ−Ｆｒｅｑｕｅｎｃｙ  Ｄｅｖｉｓｉｏｎ  Ｍｕｌｔｉｐｌｅ  Ａｃｃｅｓｓ：シングルキャリア周波数分割多元接続）などのシングルキャリア（単一搬送波）方式においても適用可能である。以下の実施形態でも同様とする。
【００６０】
基地局装置１００は、アンテナ部１０１と、シンボル生成部１１２と、リソースマッピング部１０６と、ＩＦＦＴ（逆高速フーリエ変換）部１０７と、ＧＩ挿入部１０８と、送信部１０９と、制御信号生成部１１０と、パイロット信号生成部１１１と、を備える。ここで、アンテナ部１０１が送信部１０９に接続されている。シンボル生成部１１２は、誤り検出符号部１０２と、誤り訂正符号部１０３と、インターリーブ部１０４と、変調部１０５とを備える。
【００６１】
なお、基地局装置１００の一部あるいは全部を半導体集積回路を用いて単一または複数のチップにより構成する場合、各機能ブロックに対して制御を行うチップ制御回路（図には未記載）を有する。
【００６２】
誤り検出符号部１０２は、不図示の上位レイヤ（ＭＡＣ層（Ｍｅｄｉａ  Ａｃｃｅｓｓ  Ｃｏｎｔｒｏｌ：媒体アクセス制御）、ネットワーク層などの上位層に位置する機能を有するレイヤ）から入力される情報データに対して、ＣＲＣ（Ｃｙｃｌｉｃ  Ｒｅｄｕｎｄａｎｃｙ  Ｃｈｅｃｋ：巡回冗長検査）などの受信側において誤り検出をするための符号化を行う。誤り検出符号部１０２は、誤り検出符号化された情報データを誤り訂正符号部１０３へ供給する。なお、誤り検出符号部１０２は、前記上位レイヤの一部に組み込んでもよい。
【００６３】
誤り訂正符号部１０３は、誤り検出符号部１０２から供給された誤り検出符号化された情報データに対して、ターボ符号、ＬＤＰＣ（Ｌｏｗ  Ｄｅｎｓｉｔｙ  Ｐａｒｉｔｙ  Ｃｈｅｃｋ：低密度パリティ検査）、畳込み符号などのいずれかの誤り訂正符号化処理を行う。ここで、誤り訂正符号化処理後の情報データを符号化ビットと呼ぶこととする。誤り訂正符号部１０３は、その符号化ビットをインターリーブ部１０４へ供給する。
【００６４】
インターリーブ部１０４は、周波数選択性フェージングによる受信電力の落ち込みに起因するバースト誤りが生ずるのを改善するために、誤り訂正符号部１０３から供給された符号化ビットの並び順を入れ替える。そして、インターリーブ部１０４は、並び順を入れ替えられた符号化ビットを変調部１０５へ供給する。
【００６５】
変調部１０５は、インターリーブ部１０４から供給された並び順を入れ替えられた符号化ビットを変調シンボルにマッピングし、ＢＰＳＫ（Ｂｉｎａｒｙ  Ｐｈａｓｅ  Ｓｈｉｆｔ  Ｋｅｙｉｎｇ：２相位相偏移変調）、ＱＰＳＫ、１６ＱＡＭ（１６  Ｑｕａｄｒａｔｕｒｅ  Ａｍｐｌｉｔｕｄｅ  Ｍｏｄｕｌａｔｉｏｎ：１６値直交振幅変調）、６４ＱＡＭ（６４  Ｑｕａｄｒａｔｕｒｅ  Ａｍｐｌｉｔｕｄｅ  Ｍｏｄｕｌａｔｉｏｎ：６４値直交振幅変調）などのデータ変調シンボルを生成する。そして、変調部１０５は、生成したデータ変調シンボルをリソースマッピング部１０６へ供給する。
【００６６】
制御信号生成部１１０は、上位レイヤが出力する情報データの無線信号に関するＭＣＳ（Ｍｏｄｕｌａｔｉｏｎ  ａｎｄ  Ｃｏｄｉｎｇ  Ｓｃｈｅｍｅ：変調・符号化方式）情報、ランク情報などの各種制御データに対して、誤り訂正符号化、変調マッピングを行い、制御シンボルを生成する。そして、制御信号生成部１１０は、生成した制御シンボルをリソースマッピング部１０６へ供給する。
【００６７】
ここで、ＭＣＳ情報とは、情報データの無線信号に施されている符号化率および変調方式を示す情報である。また、ランク情報とは、情報データの無線信号に施されている空間多重信号（ＭＩＭＯ（Ｍｕｌｔｉ  Ｉｎｐｕｔ  Ｍｕｌｔｉ  Ｏｕｔｐｕｔ）信号）の多重数を示す情報である。変調マッピングは、ＱＰＳＫなどの変調処理である。
【００６８】
パイロット信号生成部１１１は、受信側が伝搬路推定するためのパイロットシンボルを生成する。例えば、パイロットシンボルは、アダマール符号である「１」、「−１」の信号系列である。ここで、パイロットシンボルを構成する符号系列は、移動局装置３００、中継局装置２００間で既知の符号系列であればよいが、アダマール符号、ＣＡＺＡＣ（Ｃｏｎｓｔａｎｔ  Ａｍｐｌｉｔｕｄｅ  Ｚｅｒｏ  Ａｕｔｏ−Ｃｏｒｒｅｌａｔｉｏｎ）系列などの直交した系列であることが好ましい。そして、パイロット信号生成部１１１は、生成したパイロットシンボルをリソースマッピング部１０６へ供給する。
【００６９】
リソースマッピング部１０６は、変調部１０５から供給されたデータ変調シンボルと、制御信号生成部１１０から供給された制御シンボルと、パイロット信号生成部１１１から供給されたパイロットシンボルをサブキャリアにマッピングする。リソースマッピング部１０６は、サブキャリアにマッピング後の信号をＩＦＦＴ部１０７へ供給する。
【００７０】
図９は、ＯＦＤＭ伝送を行っている場合におけるデータ変調シンボル、制御シンボル、パイロットシンボルのマッピング例を示した図である。縦軸は周波数、横軸は時間を示している。１つのサブキャリアと１つのＯＦＤＭシンボルからなる範囲をリソースエレメントと呼ぶ。白塗り部はデータ変調シンボルをマッピングしているリソースエレメント、格子塗りつぶし部は制御シンボルをマッピングしているリソースエレメント、斜線部はパイロットシンボルをマッピングしているリソースエレメントである。
【００７１】
図８に戻って、ＩＦＦＴ部１０７は、リソースマッピング部１０６から供給されたサブキャリアにマッピング後の信号に対して、ＩＦＦＴ（逆高速フーリエ変換）処理を行うことで、それぞれのシンボルを周波数領域の信号から時間領域の信号に変換する。ＩＦＦＴ部１０７は、変換した時間領域の信号をＧＩ挿入部１０８へ供給する。
【００７２】
ＧＩ挿入部１０８は、ＩＦＦＴ部１０７が変換した時間領域の信号にガードインターバル（ＧＩ）を付加する。例えば、ＧＩ挿入部１０８は、ＩＦＦＴ部１０７から供給された時間領域の信号（有効シンボル）の後半の一部をコピーし、有効シンボルの先頭に付加する。ここで、ＧＩを付加した有効シンボルをＯＦＤＭシンボルと呼ぶ。ＧＩ挿入部１０８が出力する信号をｓ（ｔ）とすると、次式（１）で表せる。
【００７３】
【数１】
2011254380.tif 000003
【００７４】
ここで、ＮｆはＩＦＦＴポイント数、ｃｋ，ｌは第ｌ番目のＯＦＤＭシンボルの第ｋサブキャリアに割り当てられたシンボル、Δｆはサブキャリアの周波数間隔、ＴｓはＯＦＤＭシンボル長（ＧＩ長を含む）、ｊは虚数単位である。
ＧＩ挿入部１０８は、ＧＩを付加した信号を送信部１０９に供給する。
【００７５】
送信部１０９は、ＧＩ挿入部１０８から供給されたＧＩを付加した信号を、デジタル信号からアナログ信号に変換する。そして、送信部１０９は、アナログ信号に変換された信号に対して帯域制限を行うフィルタリング処理を行い、さらにフィルタリング処理された信号を送信可能な周波数帯域にアップコンバートする。そして、送信部１０９は、アップコンバートされた信号をパワーアンプなどで増幅し、送信アンテナ部１０１を介して、増幅した信号を送信する。
【００７６】
［中継局装置］
図１０は、本発明の第１の実施形態に係る中継装置２００の一構成例を示す機能ブロック図である。中継装置２００は、受信アンテナ部２０１と、受信部２０２と、増幅部２０３と、フィルタ部２０４と、送信部２０５と、送信アンテナ部２０６と、制御信号検出部２０７とを備える。なお、上記中継装置２００の一部あるいは全部を半導体集積回路を用いて単一または複数のチップにより構成する場合、各機能ブロックに対して制御を行うチップ制御回路（図には未記載）を有する。
【００７７】
受信部２０２は、受信アンテナ部２０１を介して、基地局装置１００が送信した情報データの無線信号を受信し、増幅処理が可能な周波数帯へダウンコンバートする。そして、受信部２０２は、ダウンコンバートされた情報データの無線信号を増幅部２０３へ供給する。
また、受信部２０２は、受信アンテナ部２０１を介して、後述する移動局装置３００が送信した中継装置用制御信号を受信し、信号検出処理が可能な周波数帯へダウンコンバートする。そして、受信部２０２は、ダウンコンバートされた中継装置用制御信号を制御信号検出部２０７へ供給する。
【００７８】
制御信号検出部２０７は、受信部２０２から供給されたダウンコンバートされた中継装置用制御信号に対して、復調処理および復号処理などの信号検出処理を行う。制御信号検出部２０７は、前記信号検出処理により、設定する増幅率または増幅の有無についての中継装置用制御情報を抽出し、抽出された中継装置用制御情報を増幅部２０３へ供給する。
【００７９】
増幅部２０３は、制御信号検出部２０７から供給された中継装置用制御情報に基づいて、増幅率を設定する。そして、増幅部２０３は、設定された増幅率に従い、受信部２０２から供給されたダウンコンバートされた情報データの無線信号を、一定期間増幅し、フィルタ部２０４へ供給する。あるいは、増幅部２０３は、ダウンコンバートされた情報データの無線信号を一定期間増幅せず、そのままフィルタ部２０４へ供給する。
【００８０】
フィルタ部２０４は、増幅部２０３から供給された信号に対して、スプリアスを除去し、帯域制限したフィルタを掛ける。フィルタ部２０４は、フィルタ後の信号を送信部２０５へ供給する。
送信部２０５は、フィルタ部２０５から供給されたフィルタ後の信号の周波数をアップコンバートし、送信アンテナ部２０６を介して送信する。
【００８１】
［移動局装置の構成］
図１１は、本発明の第１の実施形態に係る移動局装置３００の一構成例を示す機能ブロック図である。移動局装置３００は、受信アンテナ部３０１と、受信部３０２と、ＧＩ除去部３０３と、ＦＦＴ部３０４と、伝搬路補償部３０５と、リソースデマッピング部３０６と、復調部３０７と、デインターリーブ部３０８と、復号部３０９と、誤り検出部３１０と、伝搬路推定部３１１と、品質判断部３１２と、制御信号生成部３１３と、送信部３１４と、送信アンテナ部３１５を備える。なお、上記受信装置３００の一部あるいは全部を半導体集積回路を用いて単一または複数のチップにより構成する場合、各機能ブロックに対して制御を行うチップ制御回路（図には未記載）を有する。
【００８２】
受信部３０２は、受信アンテナ部３０１を介して基地局装置１００および中継局装置２００から送信された情報データの無線信号を受信すると、信号検出処理などのデジタル信号処理が可能な周波数帯へダウンコンバートし、さらにスプリアスを除去するフィルタリング処理を行い、フィルタリング処理した信号をアナログ信号からデジタル信号に変換する。受信部３０２は、変換したデジタル信号をＧＩ除去部３０３と伝搬路推定部３１１とへ供給する。
【００８３】
伝搬路推定部３１１は、経路ｒ１、経路ｒ２および経路ｒ３を通って移動局装置３００に到達する間におけるフェージングなどによる受信信号の振幅と位相の変動量を推定（伝搬路推定）する。そして、伝搬路推定部３１１は、伝搬路推定で得られた受信信号の振幅と位相の変動量の推定値（以下、伝搬路推定値という）を伝搬路補償部３０５と品質判断部３１２とへ供給する。
【００８４】
ここで、伝搬路推定部３１１は、受信部３０２が出力する信号に含まれるサブキャリアにマッピングされた既知の信号であるパイロットシンボルを用いて、伝搬路推定を行う。具体的には、例えば、伝搬路推定部３１１は、サブキャリアにマッピングされているパイロットシンボルを、移動局装置３００が保持しているパイロットシンボルと同じ信号系列で除算することにより、パイロットシンボルを配置したサブキャリアの周波数応答を算出する。そして、伝搬路推定部３１１は、パイロットシンボルを配置していないサブキャリアの伝搬路推定は、パイロットシンボルを配置したサブキャリアの周波数応答を用いて、線形補間などの補間処理を行うことで算出する。
【００８５】
ＧＩ除去部３０３は、受信部３０２から供給された情報データの無線信号のうち、遅延波による歪を回避するために基地局装置１００で付加されたガードインターバル区間を除去する。ＧＩ除去部３０３は、ガードインターバル区間を除去した情報データの無線信号をＦＦＴ部３０４へ供給する。
【００８６】
ＦＦＴ部３０４は、ＧＩ除去部３０３から供給されたガードインターバル区間を除去した情報データの無線信号を時間領域信号から周波数領域信号に変換するフーリエ変換を行う。ＦＦＴ部３０４は、フーリエ変換後の周波数領域信号を伝搬路補償部３０５へ供給する。
【００８７】
伝搬路補償部３０５は、伝搬路推定部３１１から供給された伝搬路推定値を用いてＺＦ（Ｚｅｒｏ  Ｆｏｒｃｉｎｇ）、ＭＭＳＥ（Ｍｉｎｉｍｕｍ  Ｍｅａｎ  Ｓｑｕａｒｅ  Ｅｒｒｏｒ）などによりフェージングによる伝搬路歪を補正する重み係数を算出し、この重み係数をＦＦＴ部３０５から供給された周波数領域信号に乗算する。これによって、伝搬路補償部３０５は、伝搬路歪を補正（伝搬路補償）することができる。伝搬路補償部３０５は、算出した補正後の信号をリソースデマッピング部３０６へ供給する。
【００８８】
リソースデマッピング部３０６は、伝搬路補償部３０５から供給された補正後の信号に対してデマッピング処理を行う。ここで、デマッピング処理とは、サブキャリアにマッピングされた信号のうち、必要な信号を抽出する処理のことである。すなわち、データ変調シンボルを抽出する。リソースデマッピング部３０６は、デマッピング後の信号を復調部３０７へ供給する。
【００８９】
復調部３０７は、リソースデマッピング部３０６から供給されたデマッピング後の信号に対して、基地局装置１００の変調部１０５において施された変調に対する復調処理を行い、硬判定値あるいは軟判定値（符号化ビットＬＬＲ）を算出する。復調部３０７は、算出したデータ系列（硬判定値あるいは軟判定値）をデインターリーブ部３０８へ供給する。
【００９０】
デインターリーブ部３０８は、送信元の基地局装置１００のインターリーブ部１０４が施したインターリーブのパターンに対応するビット配置の並べ替え、すなわちインターリーブのパターンの逆操作となるビット配置並べ替えを、復調部３０７から供給されたデータ系列に対して行う。デインターリーブ部３０８は、ビット配置が並べ替えられたデータ系列を復号部３０９へ供給する。
【００９１】
復号部３０９は、送信元である基地局装置１００が施したターボ符号化、畳み込み符号化などの誤り訂正符号化に対する誤り訂正復号処理をデインターリーブ部３０８から供給されたビット配置が並べ替えられたデータ系列に対して行う。復号部３０９は、誤り訂正復号処理後の信号を誤り検出部３１０へ供給する。
【００９２】
誤り検出部３１０は、送信元である基地局装置１００が施した誤り検出符号化に対する誤り検出処理を復号部３０９から供給された誤り訂正復号処理後の信号に対して行い、受信した情報データに誤りがあるか否かを判定する。誤り検出部３１０は、誤りがあるか否かの情報を品質判断部３１２へ供給する。なお、誤り検出部３１０は、移動局３００が具備する上位レイヤ（不図示）に組み込んでもよい。
【００９３】
品質判断部３１２は、伝搬路推定部３１１から供給された周波数応答をインパルス応答に変換し、変換したインパルス応答を用いて、ＧＩ長を超える遅延波があるか否か判定する。品質判断部３１２は、該ＧＩ長を超える遅延波があるか否か判定結果と、誤り検出部３１０から供給された誤りがあるか否かの情報とを用いて、現在の受信品質を判定する。あるいは、品質判断部３１２は、ＧＩ長を超える遅延波の電力レベルを算出し、現在の受信品質を判定する（詳細は図３、図４、図５、図６とそれらの説明を参照）。品質判断部３１２は、判定結果を制御信号生成部３１３へ供給する。
【００９４】
制御信号生成部３１３は、品質判定部３１２から供給された判定結果に基づいて、増幅率の設定を中継局装置２００に指令するための中継装置用制御信号を生成する。また、制御信号生成部３１３は、誤り検出部３１０から供給された誤り検出結果を受けて、ＡＣＫ信号あるいはＮＡＣＫ信号を生成する。制御信号生成部３１３は、その中継装置用制御信号またはＡＣＫ信号／ＮＡＣＫ信号を送信部３１４へ供給する。
【００９５】
送信部３１４は、前記制御信号生成部３１３から供給された中継装置用制御信号またはＡＣＫ信号／ＮＡＣＫ信号の周波数を無線周波数までアップコンバート等を行う。送信部３１４は、アンテナ３１５を介してアップコンバートされた信号を送信する。
【００９６】
続いて、制御信号生成部３１３が、中継局装置２００に指令する増幅率の決定方法とその効果について説明する。
（１）移動局装置３００は、自ユーザ宛のデータ信号について、復調、復号処理、誤り検出処理を行い、誤りが検出された場合、伝搬路推定部３１１は、伝搬路推定部３１１から供給された周波数応答に基づいて、受信信号のインパルス応答（遅延プロファイル）を算出する。
【００９７】
（２）品質判断部３１２は、インパルス応答において、ＧＩ長を超える遅延波が存在する場合、中継局装置２００の増幅をやめさせると判定する。この判定結果により、（１）におけるデータ誤りの原因がＧＩ長を超える長遅延波（図５におけるｗ２−２）に起因するシンボル間干渉（ＩＳＩ）、キャリア間干渉（ＩＣＩ）であり、超遅延波は中継局装置２００がらの信号により発生している蓋然性が高いと判断できるためである。
【００９８】
上記のＧＩ長を超える遅延波の存在の有無は、例えば、品質判断部３１２が、予め定めた電力レベルの閾値を設定し、その閾値より大きい遅延波がＧＩ長を超えた遅延時間に存在するか否かにより判断する。
【００９９】
図１２は、閾値にＧＩ長を超える長遅延波が存在するか否かの判断方法を説明するための図である。図１２（ａ）は、ＧＩ長を超える長遅延波の電力レベルが閾値を超える場合のインパルス応答を示した図である。ここで、縦軸は電力レベルで、横軸は時間である。先に到来した閾値を超えるインパルス応答ｗ１０と、その後に到来した閾値を超えるインパルス応答ｗ１１が示されている。インパルス応答ｗ１１は、先に到来した閾値を超えるインパルス応答ｗ１０の先頭のインパルス応答から、ＧＩ長を越えた時間遅れている。インパルス応答ｗ１１の先頭のインパルス応答の電力レベルは、閾値よりもβ分大きい。
【０１００】
図１２（ａ）において、伝搬路推定部３１１によりインパル応答が算出された場合、ＧＩ長を超える区間において到来する遅延波のインパルス応答ｗ１１の信号レベルが閾値以上であるから、品質判断部３１２はＧＩ長を超えた遅延時間に、遅延が存在すると判断する。
【０１０１】
図１２（ｂ）は、ＧＩ長を超える長遅延波の電力レベルが閾値より小さい場合のインパルス応答を示した図である。ここで、縦軸は電力レベルで、横軸は時間である。先に到来した閾値を超えるインパルス応答ｗ１２と、その後に到来した閾値を超えるインパルス応答ｗ１３が示されている。インパルス応答ｗ１３は、先に到来した閾値を超えるインパルス応答ｗ１２の先頭のインパルス応答から、ＧＩ長を越えた時間遅れている。インパルス応答ｗ１３の全てのインパルス応答の電力レベルは、閾値よりも小さい。
【０１０２】
図１２（ｂ）において、伝搬路推定部３１１によりインパルス応答が算出された場合、ＧＩ長を超える区間において到来する遅延波のインパルス応答ｗ１３の信号レベルが閾値以下であるから、品質判断部３１２はＧＩ長を超えた遅延時間に存在しないと判定する。
【０１０３】
（３）（ｉ）誤り検出部３１０による判定結果においてデータ誤りがあり、（ｉｉ）かつ、品質判断部３１２がＧＩ長を超える長遅延波が存在する判定した場合、制御信号生成部３１３は、中継局装置２００に増幅を中止する旨の信号（中継装置用制御信号）を通知する（図２のステップＴ１０４）。
【０１０４】
中継装置用制御信号の通知は、中継局装置２００が、移動局装置３００または中継局装置２００に送信する上りリンクのいずれかのリソースエレメントに割り当て、送信することにより行う。例えば、移動局装置が図９のフレームフォーマットで中継局装置２００あるいは移動局装置３００に信号を送信する場合、データ変調シンボルをマッピングしているリソースエレメント（白塗り部）、または制御シンボルをマッピングしているリソースエレメント（格子塗りつぶし部）にマッピングすることができる。
【０１０５】
（４）中継局装置２００は、前記中継装置用制御信号を受信すると、中継局装置２００が具備する増幅部２０３は、増幅を中止する。例えば、中継局装置２００は、増幅部２０３の電源をＯＦＦにする。あるいは、増幅部２０３はバイアス電流を下げる。または、中継局装置２００は、中継局装置２００の送信系（フィルタ部２０４または送信部２０５）の電源をＯＦＦにすることにより、それらの動作を停止する。これにより、中継局装置２００が送信するデータ信号は送信電力レベルが低下する。
【０１０６】
これにより、中継局装置２００が信号の増幅を行っている場合は、移動局装置３００は、一例として図１２（ａ）のインパルス応答ｗ１１に示す閾値を超える信号を受信する。一方、中継局装置２００が信号の増幅を中止した場合は、移動局装置３００は、一例として図１２（ｂ）のインパルス応答ｗ１３に示す閾値より小さい信号を受信する。従って、ＧＩ長を超える遅延波の信号レベルが低下し、それに起因するＩＳＩ、ＩＣＩを低減することができ、その結果、特性劣化を回避することができる。
【０１０７】
（５）または、中継局装置３００は、中継局装置３００が具備する増幅部２０３は、増幅率を下げる。その際、移動局装置３００は、中継局装置２００に増幅を中止する旨の信号に代えて、設定する増幅率を示す信号を有する中継装置用制御信号を送信する。例えば、移動局装置３００が図１２（ａ）に示すインパルス応答を算出すると、移動局装置３００はＧＩ長を超える遅延波の信号レベルと閾値との差異βを通知する。
【０１０８】
なお、前記増幅率を示す信号は、設定する増幅率そのものの値でもよいし、予め作成された増幅率設定テーブルにおける増幅率を示すインデックスでもよい。
これにより、前記中継局装置２００の増幅を中止する場合と同様に、ＧＩ長を超える遅延波の信号レベルを低下させ、それに起因するＩＳＩ、ＩＣＩを低減することができ、その結果、特性劣化を回避することができる。
【０１０９】
［効果］
本発明の第１の実施形態に係る通信システムにおいて、移動局装置は、受信信号の受信経路に応じて、中継局装置の増幅率を制御することで、ＧＩ長を超える遅延波に起因するＩＳＩ、ＩＣＩによる特性劣化を抑えることができる。これにより、中継局装置の配置位置の制限を無くすことが可能となる。
【０１１０】
＜変形例＞
本実施形態において、中継局装置２００が増幅率を下げる例について説明したが、これに限らず、中継局装置２００は受信した制御信号に基づいて増幅率を上げてもよい。また、中継局装置２００は、受信した制御信号に基づいて増幅の開始または停止を行っても良い。中継局装置２００が増幅率を上げる具体例について、以下に説明する。
図１の場合において、移動局装置３００が増幅率を下げる旨の制御信号を送信し、所定の時間経過後、移動局装置３００が増幅率を上げる旨の制御信号を送信する場合の例を示す。
【０１１１】
まず、移動局装置３００が基地局装置１００と中継局装置２００の両方（ｒ１およびｒ３の経路）から同等の信号電力を受信した場合において、移動局装置３００は、受信した信号を復号処理した結果、データ誤りを検出し、さらに、伝搬路推定結果よりＧＩ長より長い信号を受信していると判定する場合を想定する。その場合、移動局装置３００は、中継局装置２００に対して増幅率を中止する旨の制御信号を送信する。
【０１１２】
そして、中継局装置２００が、移動局装置３００から送信された制御信号に従って増幅を止めることにより、移動局装置３００は基地局装置１００のみ（ｒ１の経路）からの信号を受信する。これにより、中継局装置２００は、両方から受信することに起因するＧＩ長を超える遅延波の発生を抑えることができる。
【０１１３】
次に、移動局装置３００が基地局装置１００のみからの信号を受信している場合おいて、その受信した信号を復号処理した結果、データ誤りが検出すると、移動局装置３００は、中継局装置２００に対して増幅する旨の制御信号を送信する。
そして、中継局装置２００は、移動局装置３００から送信された増幅する旨の制御信号に従い、受信信号を増幅し、再送信する。その場合、移動局装置３００は、中継局装置２００のみ（ｒ３の経路）からの信号を受信する。これにより、基地局装置１００から直接受信した信号の信号レベルが低下してきた場合においても、移動局装置３００は良好な通信を維持することができる。
【０１１４】
＜第２の実施形態＞
続いて、本発明の第２の実施形態について説明する。
［通信システム］
本発明の第２の実施形態は、基地局装置と接続する移動局装置が複数ある場合である。
図１３は、本発明の第２の実施形態に係る通信システムについて示す図である。通信システムは、基地局装置（送信装置）１００ｂと、中継局装置（中継装置）２００ｂと、移動局装置（受信装置）３００ｂと、移動局装置４００とを備える。なお、図１と共通する要素には、同一の符号を付し、その具体的な説明を省略する。
【０１１５】
ｒ１は基地局装置１００ｂが送信した無線信号が移動局装置３００ｂに直接到達する経路、ｒ２は基地局装置１００ｂが送信した無線信号が中継局装置２００ｂへ到達する経路、ｒ３は基地局装置１００ｂが送信した無線信号が中継局装置２００ｂを介して移動局装置３００ｂへ到達した場合における中継局装置２００ｂと移動局装置３００ｂ間の経路、ｒ５は基地局装置１００ｂが送信した無線信号が中継局装置２００ｂを介して移動局装置４００へ到達した場合における中継局装置２００ｂと移動局装置４００間の経路である。また、ｒ４は移動局装置３００ｂが中継局装置２００ｂを制御するための制御信号（中継装置用制御信号）を送信する場合の経路である。
【０１１６】
基地局装置１００ｂは、移動局装置３００ｂおよび移動局装置４００に対して無線信号（ＲＦ信号）により情報データ及制御データの無線信号を送信する。中継局装置２００ｂは、基地局装置１００ｂから受信した前記無線信号を増幅、フィルタリングしたのち、出力する。
【０１１７】
図１４は、基地局装置１００ｂが送信する情報データの無線信号を示した図である。図１４では、ＯＦＤＭ変調された場合の例であり、移動局装置３００ｂ宛に送信する情報データのデータ変調シンボルをサブキャリア１〜サブキャリア８に割当て、移動局装置４００宛に送信する情報データのデータ変調シンボルをサブキャリア９〜サブキャリア１６に割当てている。
【０１１８】
移動局装置３００ｂまたは移動局装置４００は、図１４の信号を受信すると、ＯＦＤＭ変調に対して、ＦＦＴなどの復調処理を行った後、自宛の情報データが割り当てられたサブキャリアの信号に対して復号等の処理を行うことで自宛の情報データを取得する。
【０１１９】
図１５は、第２の実施形態における基地局装置１００ｂ、中継局装置２００ｂ、および移動局装置３００ｂ間の信号のやり取りを示すシーケンス図である。図１５において、図２におけるステップＴ１０４およびステップＴ１０５の処理が、それぞれステップＴ３０４およびステップＴ３０５の処理に変更されたものである。以下、異なる処理について説明する。
【０１２０】
移動局装置３００ｂは、その受信品質に基づいて、中継局装置２００ｂへ増幅率およびその増幅率を制御する帯域についての制御信号（中継装置用制御信号）を送信する（ステップＴ３０４）。なお、前記中継装置用制御信号は、増幅を中止する旨（増幅率ゼロ）を通知する信号であってもよい。中継局装置２００ｂは、前記中継装置用制御信号に基づいて、指定された周波数帯域についての増幅率を変更する（ステップＴ３０５）。
【０１２１】
なお、図１３において、移動局装置４００は、基地局装置１００ｂが送信した自宛の情報データを中継局装置２００ｂのみから受信するので、移動局装置４００は、中継局装置２００ｂに対して増幅率についての制御信号を送信しない。
【０１２２】
［移動局装置の動作］
移動局装置３００ｂの動作は図３に示すフローチャートと同様である。ただし、本実施形態では、図３のステップＳ１０７において移動局装置３００ｂから送信される中継装置用制御信号は、増幅率の設定およびその帯域に関する制御信号である点が異なる。例えば、図１４の場合、移動局装置３００ｂは、自宛の情報データが割当てられている帯域であるサブキャリア１〜サブキャリア８について、増幅を中止する旨の通知を行う。
【０１２３】
［中継局装置の動作］
図１６は、中継局装置２００ｂの動作を示すフローチャートである。図１６のフローチャートは、図７のフローチャートにおけるステップＳ２０５よびステップＳ２０６の処理をそれぞれステップＳ４０５およびステップＳ４０６の処理に変更したものである。なお、図４と共通する処理には、同一の符号を付す。以下、主に、異なる処理について説明する。
【０１２４】
中継局装置２００ｂは、情報データの無線信号を受信すると（ステップＳ２０１  ＹＥＳ）、現在設定している増幅率に基づいて信号を増幅し、フィルタリングした後（ステップＳ２０２）、信号を送信する（ステップＳ２０３）。
一方、中継局装置２００ｂは、情報データの無線信号が受信されない場合（ステップＳ２０１  ＮＯ）、移動局装置３００ｂから供給される中継装置用制御信号を受信したか否か判定する（ステップＳ２０４）。
【０１２５】
中継局装置２００ｂは、中継装置用制御信号が受信されない場合（ステップＳ２０４  ＮＯ）、ステップＳ２０１の処理に戻る。一方、中継局装置２００ｂは、移動局装置３００ｂからの中継装置用制御信号を受信すると（Ｓ２０４  ＹＥＳ）、前記制御信号に対して検出処理を行い、増幅率の設定およびその周波数帯域についての制御に関する制御データを取得する（ステップＳ４０５）。そして、中継局装置２００ｂは、その制御データの指示に従い、その帯域において、増幅部の増幅率の設定を変更し（ステップＳ４０６）、次の信号が到来するのを待つ。以上で、本フローチャートの処理は終了する。
【０１２６】
図１７は、中継局装置２００ｂが移動局装置３００ｂから中継装置用制御信号を受けた後、中継局装置２００ｂが再送する情報データの無線信号を示した図である。縦軸は、電力レベルであり、横軸は周波数である。移動局装置３００ｂが、自宛の情報データが割り当てられている帯域（サブキャリア１〜サブキャリア８）について増幅中止する旨の通知をした場合、中継局装置２００ｂは、図１４に示す基地局装置１００ｂから供給された情報データの無線信号の入力を増幅した後、移動局装置３００ｂ宛の帯域をフィルタして電力レベルを低減する。このことによって、中継局装置２００ｂは、図１７に示す情報データの無線信号を移動局装置３００ｂと移動局装置４００とへ供給する。
【０１２７】
［基地局装置の構成］
図１８は、本発明の第２の実施形態に係る基地局装置１００ｂの一構成例を示す機能ブロック図である。なお、図１８では、基地局装置が送信する無線信号が、ＯＦＤＭ信号である場合について説明する。
【０１２８】
図１８において、基地局装置１００ｂは、図８における基地局装置１００のシンボル生成部１１２をシンボル生成部１１２−ｕ（ｕは１からＵまでの整数、Ｕは基地局装置１００ｂと接続している移動局装置数）に、リソースマッピング部１０６をリソースマッピング部４０６に取り替えることで実現されている。なお、図８と共通する要素には、同一の符号を付し、その具体的な説明は省略する。以下、主に、異なる部分について説明する。
【０１２９】
各シンボル生成部１１２−ｕは、移動局装置３００、または移動局４００宛のデータ変調シンボルを生成する。例えば、図１３の場合、ｕ＝２となり、シンボル生成部１１２−１は移動局装置３００宛のデータ変調シンボルを生成し、シンボル生成部１１２−２は移動局装置４００宛のデータ変調シンボルを生成する。各シンボル生成部１１２−ｕは、データ変調シンボルをリソースリソースマッピング部４０６へ供給する。
リソースリソースマッピング部４０６は、シンボル生成部１１２−ｕから供給されたデータ変調シンボルと、制御信号生成部１１０から供給された制御シンボルと、パイロット信号生成部１１１から供給されたパイロットシンボルとをサブキャリアにマッピングする。リソースリソースマッピング部４０６は、マッピングされた信号をＩＦＦＴ部１０７へ供給する。
【０１３０】
そして、ＩＦＦＴ部１０７は、リソースマッピング部４０６から供給されたマッピングされた信号に対して、ＩＦＦＴ処理する。そして、ＧＩ挿入部１０８は、ＩＦＦＴ処理された信号にＧＩを挿入し、送信部１０９は、ＧＩを挿入された信号を、アンテナ１０１から送信する。
【０１３１】
［中継局装置の構成］
図１９は、本発明の第２の実施形態に係る中継局装置２００ｂの一構成例を示す機能ブロック図である。中継局装置２００ｂは、図１０における中継局装置２００において、増幅部２０３を増幅部５０３に、フィルタ部２０４をフィルタ部５０４に、制御信号検出部２０７を制御信号検出部５０７に取り替えることで実現されている。なお、図１０と共通する要素には、同一の符号を付し、その具体的な説明は省略する。以下、異なる部位について、主に説明する。
【０１３２】
制御信号検出部５０７は、受信した中継装置用制御信号に対して復調処理、復号処理などの信号検出処理を行う。制御信号検出部５０７は、前記信号検出処理により、設定する増幅率の設定（または増幅の有無）およびその所定の周波数帯域についての中継装置用制御信号を取得し、増幅部５０３およびフィルタ部５０４に供給する。
【０１３３】
増幅部５０３は、制御信号検出部５０７から供給された中継装置用制御信号に基づいて、増幅率を設定する。そして、前記設定した増幅率に従い、受信部２０２から供給された情報データの無線信号を増幅する。増幅部５０３は、増幅された情報データの無線信号をフィルタ部５０４へ供給する。
【０１３４】
フィルタ部５０４は、制御信号検出部５０７から供給された前記中継装置用制御信号に基づいて、増幅すべき信号に割り当てられた帯域を通過させる帯域（以下、通過帯域という。）に設定する。そして、フィルタ部５０４は、前記増幅部５０３から供給された増幅された情報データの無線信号に対して、一定期間、帯域制限するフィルタリング処理を行う。具体的には、フィルタ部５０４は、移動局装置３００ｂが割り当てられた帯域以外の周波数帯域幅が通過帯域となるように設定する。フィルタ部５０４は、フィルタした信号を送信部２０５へ供給する。
【０１３５】
［移動局装置の構成］
図２０は、本発明の第２の実施形態に係る移動局装置３００ｂの一構成例を示す機能ブロック図である。移動局装置３００ｂは、図１１の移動局装置３００において、制御信号生成部３１３を制御信号生成部６１３に取り換えることにより実現できる。なお、図１１と共通する要素には、同一の符号を付し、その具体的な説明は省略する。以下、主に、異なる部分について説明する。
【０１３６】
制御信号生成部６１３は、品質判定部３１２から供給された判定結果（ＧＩ長を超えるか遅延波があるか否かの情報または受信品質の情報）に基づいて、増幅率の設定を行う帯域を算出し、その帯域における増幅率を算出する。そして、制御信号生成部６１３は、中継局装置２００ｂに対するその帯域についての増幅率の指令を含んだ中継装置用制御信号を生成する。
また、制御信号生成部６１３は、品質判定部３１２から供給された誤り検出部３１０による誤り検出結果を受けて、ＡＣＫ信号あるいはＮＡＣＫ信号を生成する。制御信号生成部６１３は、生成した信号を送信部３１４へ供給する。
【０１３７】
続いて、増幅率と帯域の決定方法について一例を説明する。
図２１は、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ：直交周波数分割多元接続）伝送する下りリンクにおいて、基地局装置が移動局装置あるいは中継局装置にデータを送信する際のユーザ割当を示す図である。
【０１３８】
同図において、周波数軸に３つのリソースエレメントおよび時間軸に１４のリソースエレメントからなるサブフレームを示しており、時間軸における最初の３リソースエレメントには制御信号（例えば、ＬＴＥ（Ｌｏｎｇ  Ｔｅｒｍ  Ｅｖｏｌｕｔｉｏｎ：３．９Ｇの無線アクセス技術）におけるＰＤＣＣＨ（Ｐｈｙｓｉｃａｌ  Ｃｏｎｔｒｏｌ  Ｃｈａｎｎｅｌ：物理制御チャネル））が割り当てられ、その後ろの９リソースエレメントに各ユーザのデータ信号が割り当てられる。
【０１３９】
図２１のフレームにおいて、１番目のサブフレームと第５番目のサブフレーム（右斜線部）に、移動局装置３００ｂ宛のデータ信号と移動局装置４００宛のデータ信号の両方の信号が所定の時間間隔毎に割り当てられている。また、左斜線部は移動局装置３００ｂ宛のデータ信号が割り当てられ、格子状の塗潰し部は移動局装置４００宛のデータ信号が割り当てられている。
【０１４０】
基地局装置１００ｂは、移動局装置３００ｂ或いは中継局装置２００ｂに、１０個のサブフレームからなる送信フレームによるデータ信号を送信する。そして、前記サブフレームは、１４個のＯＦＤＭシンボルから構成されるとする。各ユーザは、所定のサブキャリアおよび所定のＯＦＤＭシンボルからなる単位（以下、リソースエレメントと言う）に割り当てられる。
【０１４１】
図２１において、移動局装置３００ｂおよび移動局装置４００は、ある一定の規則に従って割当られ（例えば、ＬＴＥにおけるセミパーシステントスケジューリング：Ｓｅｍｉ−ｐｅｒｓｉｓｔｅｎｔ  Ｓｃｈｅｄｕｌｉｎｇ）、そのユーザ割り当ては、該スケジューリングモードが終了するまで同様のユーザ割当が行われる。
ここで、前記スケジューリングモードはフレームにわたって、継続する。また、移動局装置３００ｂに対するデータ信号割当がリソースエレメント（０、２）に割り当てた制御信号（塗りつぶし部分の信号）により通知される。
【０１４２】
以下、増幅率の変更の処理の流れの１例について説明する。
（１）まず、移動局装置３００ｂは、リソースエレメント（０、２）に割り当てられた制御信号により、該フレームにおいて自ユーザ宛のデータ信号割当位置を取得する。そして、サブフレーム０の自ユーザのデータ信号を復調処理、復号処理、誤り検出処理を行い、（ｉ）データ誤りがあるか否か、（ｉｉ）かつ、ＧＩ長を超える長遅延波が存在するか否かを、前述のように判定する。
【０１４３】
（２）移動局装置３００ｂは、その判定結果において、（ｉ）データ誤りがあり、（ｉｉ）かつ、ＧＩ長を超える長遅延波が存在すると判断した場合、中継局装置２００ｂへ増幅を中止する旨およびその帯域およびタイミングを示す信号（中継装置用制御信号）を送信する。
【０１４４】
図２１においては、移動局装置３００ｂは、左斜線部で示したリソースエレメントの帯域およびそのタイミングを中継局装置２００ｂへ送信する。すなわち、サブフレーム０およびサブフレーム５の周波数帯域０に移動局装置３００ｂ宛のデータ信号が割り当てられていることを中継局装置２００ｂへ送信する。中継装置用制御信号の通知は、移動局装置３００ｂが、中継局装置２００ｂに送信する上りリンクのいずれかのリソースエレメントに割り当て、送信することにより行う。
【０１４５】
（３）中継局装置２００ｂは、前記中継装置用制御信号を受信すると、サブフレーム１以降において、通知を受けた前記リソースエレメントが割り当てられている帯域およびタイミングで増幅を中止する。すなわち、サブフレーム５において第４番目のリソースエレメントのタイミングに合わせて、移動局装置３００ｂが割り当てられている帯域（斜線部）の増幅を中止する。中継局装置２００ｂは、該信号帯域の増幅中止を、例えば、中継局装置２００ｂが具備するフィルタの通過帯域を可変することにより行う。
【０１４６】
前記該信号帯域の増幅中止は、次フレームにおいても継続することができる。すなわち、次フレームにおいて、中継局装置２００ｂは、サブフレーム０およびサブフレーム５に対して該信号帯域の増幅中止を行う。
【０１４７】
中継局装置２００ｂは、前記該信号帯域の増幅中止を、前記スケジューリングモードの解除により終了する。これにより、中継局装置２００ｂは、複数の移動局装置が割り当てられている場合において、基地局装置１００ｂから直接到来する信号と中継局装置２００ｂ経由からの信号の両方を受信することによる弊害を受けている移動局装置に対してのみ、増幅を止められる。すなわち、中継局装置２００ｂを経由して信号を受信することにより利益を享受している移動局装置に対して影響を与えることなく、前記弊害を解消することができる。
【０１４８】
［効果］
本発明の第２の実施形態に係る通信システムにおいて、移動局装置は、受信信号の受信品質に応じて、中継局装置の増幅率の設定およびその帯域を制御することで、ＧＩ長を超える遅延波に起因するＩＳＩ、ＩＣＩによる特性劣化を抑えることができる。これにより、基地局装置に複数の移動局装置が接続されている場合において、それぞれの移動局装置の伝搬路状況に応じて増幅率を設定できる。これにより、中継局装置の配置位置が予め決まっていても、中継局装置は各移動局装置と安定な通信をすることができる。
【０１４９】
＜第３の実施形態＞
続いて、本発明の第３の実施形態について説明する。
［通信システム］
図２２は、本発明の第３の実施形態に係る通信システムを示した図である。同図における通信システムは、基地局装置（受信装置）１００ｃと、中継局装置（中継装置）２００ｃと、移動局装置（送信装置）３００ｃとを備える。本発明の第３の実施形態は、第１の実施形態の方法を上記通信システムの上りリンクに適用した場合である。
【０１５０】
ｒ２１は移動局装置３００ｃが送信した無線信号が基地局装置１００ｃに直接到達する経路、ｒ２２は移動局装置３００ｃが送信した無線信号が中継局装置２００ｃへ到達する経路、ｒ２３は移動局装置３００が送信した無線信号が中継局装置２００ｃを介して基地局装置１００ｃへ到達した場合における中継局装置２００ｃと基地局装置１００ｃ間の経路である。また、ｒ２４は基地局装置１００ｃが中継局装置２００ｃを制御するための制御信号（中継装置用制御信号）を送信する場合の経路である。
【０１５１】
移動局装置３００ｃは、基地局装置１００ｃと中継局装置２００ｃとへ、情報データおよび制御データを含む無線信号（ＲＦ信号）を送信する。中継局装置２００ｃは、移動局装置３００ｃから供給された無線信号を増幅し、所定の周波数帯域のフィルタを掛ける（フィルタリングする）。そして、中継局装置２００ｃは、フィルタを掛けた信号を基地局装置１００ｃへ供給する。
【０１５２】
基地局装置１００ｃは、経路ｒ２１、経路ｒ２３またはその両方の経路から移動局装置３００ｃが送信した情報データおよび制御データを含む無線信号を受信する。そして、基地局装置１００ｃは、その受信状況に応じて、中継装置用制御信号を生成する。基地局装置１００ｃは、その中継装置用制御信号を中継局装置２００ｃへ送信することにより、中継局装置２００ｃにおける増幅部の増幅率を制御する。
【０１５３】
なお、図２２において、基地局装置１００ｃと中継局装置２００ｃとの間の経路ｒ２３および基地局装置１００ｃと中継局装置２００ｃとの間の経路ｒ２４として、無線回線を用いているが、光ファイバーなどの有線回線を用いることとしてもよい。
【０１５４】
図２３は、第３の実施形態における基地局装置１００ｃ、中継局装置２００ｃ、移動局装置３００ｃ間の信号の交信を示すシーケンス図である。図２３では、移動局装置３００ｃは、移動局装置３００ｃと基地局装置１００ｃ間で送受信される制御データ（例えば、ランダムアクセスチャネルなど）により、前記移動局装置３００ｃと前記基地局装置１００ｃ間でリンク接続が完了しているとして説明する。
【０１５５】
移動局装置３００ｃは、基地局装置１００ｃに対して情報データの無線信号を送信し、基地局装置１００ｃは移動局装置３００ｃから直接（経路ｒ２１）および中継局装置２００ｃ経由（経路ｒ２２並びに経路ｒ２３）の両方から前記情報データの無線信号を受信する（ステップＴ５０１）。基地局装置は、前記情報データの無線信号に対して信号検出を行い（ステップＴ５０２）、情報データの無線信号が正しく受信できたか否かを示す信号（ＡＣＫ信号／ＮＡＣＫ信号）を移動局装置３００ｃに送信する（ステップＴ５０３）。
【０１５６】
また、基地局装置１００ｃは、情報データの無線信号を正しく受信できなかった場合、前記情報データの無線信号に対して信号検出および前記受信したデータ信号に挿入されている伝搬路推定用パイロット信号により受信品質を算出する（ステップＴ５０２）。
そして、その受信品質に基づいて中継局装置に増幅率を制御する制御信号（中継装置用制御信号）を送信する（経路ｒ２４、ステップＴ５０４）。ここで、その中継装置用制御信号は、増幅を中止する旨（増幅率ゼロ）を通知する信号であってもよい。
【０１５７】
中継局装置２００ｃは、基地局装置１００ｃから送信された中継装置用制御信号に基づいて増幅率を変更する（ステップＴ５０５）。
そして、移動局装置３００ｃが中継局装置２００ｃに再度情報データの無線信号を送信すると、基地局装置１００ｃは、移動局装置３００ｃから直接およびステップＴ５０１とは異なる信号増幅が施された中継局装置２００ｃ経由の信号を受信する（ステップＴ５０６）。
【０１５８】
前記中継装置用制御信号が、中継局装置の増幅を中止する旨を通知する信号である場合、基地局装置は、移動局装置から直接の信号のみを受信することになる。ここで、前記中継装置用制御信号は、一定期間増幅率を下げる旨の信号または一定期間増幅を中止する旨の信号であってもよい。
【０１５９】
なお、ステップＳ５０２の基地局装置１００ｃの動作は、図３のフローチャートが準用される。また、中継局装置２００ｃの動作は、図４のフローチャートが準用される。なお、基地局装置１００ｃは図１１の構成を具備し、中継局装置２００ｃは図１０の構成を具備し、移動局装置３００ｃは図８の構成を具備する。
【０１６０】
なお、本実施形態では、基地局装置１００ｃは、中継装置用制御信号として、増幅率の設定についての制御信号を中継局装置２００ｃに送信する場合で説明したが、前記中継装置用制御信号は、増幅率の設定およびその帯域についての制御信号であってもよい。その場合、基地局装置１００ｃは図２０と同様の構成を具備し、中継局装置２００ｃは図１９の中継局装置５００と同様の構成を具備する。
【０１６１】
［効果］
本発明の第３の実施形態に係る通信システムにおいて、基地局装置は、受信信号の受信経路に応じて、中継局装置の増幅率の設定或いはその帯域またはその両方を制御することで、ＧＩ長を超える遅延波に起因するＩＳＩ、ＩＣＩによる特性劣化を抑えることができる。これにより、中継局装置の配置位置が予め決まっていても、中継局装置は各移動局装置と安定な通信をすることができる。
【０１６２】
以上により、中継伝送において、送信装置から直接到来する信号と中継装置を介して到来する信号とを受信する受信装置を有する環境においても、１つの基地局装置が通信できる最高速度（セルスループット）を向上させることができる。
【０１６３】
なお、本発明の実施形態で説明した各部の機能を実現するためのプログラムをコンピュータ読み取り可能な記録媒体に記録して、この記録媒体に記録されたプログラムをコンピュータシステムに読み込ませ、実行することにより各部の処理を行ってもよい。尚、ここでいう「コンピュータシステム」とは、ＯＳや周辺機器等のハードウェアを含むものとする。
【０１６４】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０１６５】
さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また前記プログラムは、前述した機能の一部を実現するためのものであっても良く、さらに前述した機能をコンピュータシステムにすでに記録されているプログラムとの組み合わせで実現できるものであっても良い。
【０１６６】
また、図８および図１８における送信装置の全部または一部と、図１０および図１９における中継装置の全部または一部と、図１１および図２０における受信装置の全部または一部との機能を集積回路に集約して実現してもよい。送信装置、中継装置および受信装置の各機能ブロックは個別にチップ化してもよいし、一部、または全部を集積してチップ化してもよい。
【０１６７】
また、チップ化した送信装置、中継装置および受信装置の各機能ブロックに対して制御を行うチップ制御回路を集積してもよい。指定、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いることも可能である。
【０１６８】
以上、本発明の実施形態について図面を参照して詳述したが、具体的な構成はこの実施形態に限られるものではなく、この発明の要旨を逸脱しない範囲の設計等も含まれる。
【産業上の利用可能性】
【０１６９】
本発明は、無線を用いる移動通信または固定通信の分野において利用することができる。
【符号の説明】
【０１７０】
１００  基地局装置（送信装置）
１００ｂ  基地局装置（送信装置）
１００ｃ  基地局装置（受信装置）
１０１  受信アンテナ部
１０２  誤り検出符号部
１０３  誤り訂正符号部
１０４  インターリーブ部
１０５  変調部
１０６  リソースマッピング部
１０７  ＩＦＦＴ（逆高速フーリエ変換）部
１０８  ＧＩ挿入部
１０９  送信部
１１０  制御信号生成部
１１１  パイロット信号生成部
１１２  シンボル生成部
２００  中継局装置（中継装置）
２００ｂ  中継局装置（中継装置）
２００ｃ  中継局装置（中継装置）
２０１  受信アンテナ部
２０２  受信部
２０３  増幅部
２０４  フィルタ部
２０５  送信部
２０６  送信アンテナ部
２０７  制御信号検出部
３００  移動局装置（受信装置）
３００ｂ  移動局装置（受信装置）
３００ｃ  移動局装置（送信装置）
３０１  受信アンテナ部
３０２  受信部
３０３  ＧＩ除去部
３０４  ＦＦＴ部
３０５  伝搬路補償部
３０６  リソースデマッピング部
３０７  復調部
３０８  デインターリーブ部
３０９  復号部
３１０  誤り検出部
３１１  伝搬路推定部
３１２  品質判断部
３１３  制御信号生成部
３１４  送信部
３１５  送信アンテナ部
４００  移動局装置
【図１】
2011254380.tif 000004
【図２】
2011254380.tif 000005
【図３】
2011254380.tif 000006
【図４】
2011254380.tif 000007
【図５】
2011254380.tif 000008
【図６】
2011254380.tif 000009
【図７】
2011254380.tif 000010
【図８】
2011254380.tif 000011
【図９】
2011254380.tif 000012
【図１０】
2011254380.tif 000013
【図１１】
2011254380.tif 000014
【図１２】
2011254380.tif 000015
【図１３】
2011254380.tif 000016
【図１４】
2011254380.tif 000017
【図１５】
2011254380.tif 000018
【図１６】
2011254380.tif 000019
【図１７】
2011254380.tif 000020
【図１８】
2011254380.tif 000021
【図１９】
2011254380.tif 000022
【図２０】
2011254380.tif 000023
【図２１】
2011254380.tif 000024
【図２２】
2011254380.tif 000025
【図２３】
2011254380.tif 000026
【図２４】
2011254380.tif 000027